(57)【要約】本発明は、学習時において、ボード及び黒板１５などに使われる液体筆記道具に関するものであって、液体収容部本体２の後面部は雄ネジからなって、雌ネジ構造からなる後方キャップ１が連結され、液体収容部本体２の内部には鉄玉３が１つ入ってあり、液体収容部本体２の前面部も雄ネジからなっているが、この液体収容部本体２の前面部の中に流出キャップ４が入って連結されて、また流出キャップの中に弾性スプリング６が入り、弾性スプリング６の中にバルブロッド７が入って連結されて、バルブロッド７の前面部には支持段８があり、この支持段８の前面部に案内流路９が連結されるようにした。 また、案内流路９は、案内流路９の前面部に結合されるシリンダキャップ１０の中に入ってシリンダキャップ１０と連結されてシリンダキャップ１０の前に突出したのであり、この突出した案内流路９は、吸収フィルタ１１が内側に結合された前方キャップ１２と一体され、前方キャップ１２の前面部には突出した固定チップ１３が連結された。 このように突出した固定チップ１３と連結された前方キャップ１２は前面蓋１４と結合されることを含んで構成される液体性筆記道具を技術的要旨とする。これによって、使用中に液体が乾くと案内流路を開放させて液体収容部に充填された液体を流出させて使用するので、使用される液体の無駄な浪費と蒸発を防止し、１回の動作で液体を使用可能であるので、煩わしさや不便さが解消できる長所を得るために、実用的な機能と形態で発明した。
2008516791.tif 000002
【特許請求の範囲】
【請求項１】
後方キャップ１にＳ字型液体収容部本体１６が結合し、Ｓ字型液体収容部本体１６の中に混合用鉄玉３が入り、Ｓ字型液体収容部本体１６の前面部の内側に流出キャップ４が結合し、この流出キャップ４の内側にバルブロッド７に結合された弾性スプリング６が入って結合され、ベルブロッド７の前面部に支持段８が結合され、支持段８の前に案内流路９が連結され、案内流路９の外面部に結合されるシリンダキャップ１０があり、吸収フィルタ１１が内側に結合された前方キャップ１２の内面部にはシリンダキャップ１０と一体してＳ字型液体収容部本体１６の前面部の外周面に雄ネジからなる所と結合し、前方キャップ１２の前方に突出した形態で固定チップ１３が連結され、前方キャップの外周面に結合する前面蓋を含んで構成されることを特徴とする液体性Ｓ字型筆記道具。
【発明の詳細な説明】
【技術分野】
【０００１】
本発明は、Ｓ字型液体筆記道具に関し、より詳しくは、ペンの内部に充填された液体がペンを使用しない時は外部と密閉されることにより、涙液及び蒸発が抑制され、必要時にはペンに加えられる所定の圧力と液体の慣性作用によりペンの内部に充填された液体が所定量ずつペン前面部に流出できるようにしたＳ字型液体筆記道具に関する。 
【背景技術】
【０００２】
一般的に使われる筆記道具は、筆記道具の前方にボールが挿入されて、ボールの流動により液体が流出されるボール型式筆記道具と円筒形状の貯蔵体の内部に液体を充填させて液体を所定量ずつ貯蔵体の前方に連結された固定チップに伝達される型式でなされる。 
【０００３】
即ち、このような関数式筆記道具は、円筒形状の貯蔵体の内部に吸収フィルタを内蔵させた後、吸収フィルタに所定量の液体を吸収させて、吸収された液体が毛細管現象により所定量ずつ固定チップに伝達される型式で筆記がなされる。 それで、このような筆記道具は固定チップを通じて液体が容易に損失または蒸発されて、吸収フィルタに吸収される液体の量が制限的であるので、長時間の使用に不便であるという問題がある。 
【０００４】
したがって、このような問題を解決するために、従来には貯蔵体の内部に液体室を形成して液体室の内部に充填された液体を所定量ずつ下部に流出させる筆記道具が開発された。
【０００５】
このような従来技術を添付した図面を参照しつつ詳細に説明する。 即ち、図１は従来技術に係る液体流出口５が形成された筆記道具の分解断面図であり、図２は従来技術に係る液体流出口５が形成された筆記道具の断面図である。 
【０００６】
図示したように、液体収容部本体２の後面部は液体を充填するように孔が空けてあり、外周面に雄ネジからなって、内周面に雌ネジ構造からなる後方キャップ１が連結され、液体収容部本体２の内部には充填された液体を振って混合できるように混合用鉄玉３が１つ入っている。 液体収容部本体２の前面部の外周面にも雄ネジからなっているが、この液体収容部本体２の前面部の内部に液体収容部本体２から液体が流出するようにするための流出キャップ４が中に入って連結される。 また、前記流出キャップ４の内部に弾性スプリング６が入り、前記弾性スプリング６の内側にバルブロッド７が挿入され、前記バルブロッド７の前面部には弾性スプリング６の弾性力が作用するように支持段８があるが、この支持段８の前面部に液体収容部本体２から液体が出てくるようにする案内流路９が連結される。 また、前記案内流路９は、案内流路９の前面部に結合されるシリンダキャップ１０の中に入ってシリンダキャップ１０と連結されてシリンターキャップ１０の前に突出したのであり、この突出した案内流路９部分は、吸収フィルタ１１が内側に結合された前方キャップ１２と一体構成される。 前記前方キャップ１２の前面部には突出した固定チップ１３が連結される方式により構成される。 したがって、固定チップ１３を押さえる張力を加えない時には、案内流路９が弾性スプリング６の弾発力により圧着された支持段８により遮断されることによって、液体収容部本体２内の液体は案内流路９に流出しない。 但し、吸収フィルタ１１に既に吸収された液体が固定チップ１３に伝達されて暫くの間の筆記は可能である。 
【０００７】
そして、筆記中、吸収フィルタ１１に吸収された液体が消耗されて文字が微かになれば、固定チップ１３に上向き張力を加えて、この上向き張力により固定チップ１３がシリンダキャップ１０の前に突出した案内流路９を押さえることになることによって、バルブロッド７が案内流路９を開放することになる。 したがって、液体収容部本体２内の液体は開放された案内流路９を通じて吸収フィルタ１１に供給及び吸収される。 
【０００８】
そして、これとは逆に、前記固定チップ１３に加えられた上向き張力を解体させれば、バルブロッド７と結合された弾性スプリングの弾性力により支持段８は復帰されて案内流路９は遮断され、液体収容部本体２が密閉維持され、吸収フィルタ１１に供給されたインキにより続けて筆記することができる。
【０００９】
しかしながら、次のような問題点を有している。 固定チップ１３を押さえて上向させれば、固定チップ１３と結合された液体収容部本体２に発生する圧力が非常に弱くて、液体収容部本体２から固定チップ１３側へ放出される液体の流出量が非常に小さくなる。 したがって、何度も反復的に固定チップ１３に上向き及び下向き張力を加えることになる場合、多量の液体が無断放出される問題点が発生されることができる。
【発明の開示】
【発明が解決しようとする課題】
【００１０】
したがって、本発明は、このような問題を解決するために案出したものであって、必要の時、液体収容部本体２をＳ字型で形成して慣性作用により液体収容部本体１６の下部に常に液体が溜まるようにすることによって、液体が貯蔵された液体収容部本体１６に所定の圧力を加える場合にも案内流路９が自動開放されて液体が效果的に流出され、押さえる圧力が解除されれば案内流路９が閉鎖されて液体の過多流出が防止され、液体収容部の自然発生的な内圧にもかかわらず、いつも安定し、かつ、柔らかく液体が流出できるようにしたＳ字型液体筆記道具を提供することをその目的とする。 
【課題を解決するための手段】
【００１１】
Ｓ字型液体収容部本体は、後方キャップと、Ｓ字型液体収容部本体内で液体の混合のための鉄玉を含む。 流出キャップは、前記Ｓ字型液体収容部本体の内部に設置され、弾性スプリングは、前記流出キャップの内部に備えられるバルブロッドに装着される。 また、支持段は、前記バルブロッドの前面に形成され、案内流路は支持段の前面に一体連結される。 前記案内流路は、シリンダキャップの内部に装着され、吸収フィルタはシリンダキャップと共に前方キャップの内部に装着される。 そして、前記前方キャップは、前記Ｓ字型液体収容部本体の前方面に形成された雄ネジ部と結合され、固定チップは、前記前方キャップの前面に突出して設置されて前記固定チップと連結されることができる。 また、本発明のＳ字型液体筆記道具は、前記前方キャップと結合される前面蓋を含むことができる。
【産業上の利用可能性】
【００１２】
本発明は、液体収容部本体１６を使用する容器の形態と構造が充填された液体の慣性作用と原理を通じて使われる液体収容部本体の前面部に常に集まるようにするＳ字型液体収容部本体１６構造を有する。 前記Ｓ字型液体収容部本体１６と結合される流出キャップ４と液体が流出する案内流路９の相互密接な作用を通じて直ぐに直ぐにＳ字型液体収容部本体１６の内部に充填された液体が使用できるようにした。 また、液体収容部本体２がＳ字型で形成されるため、例えば、黒板のような場所に使用しても液体が常に流出キャップ４側に集まっている特性を有するため、仮に充填された量が少なくなっても筆記される字が弱くなることなしに、続けて筆記できる長所を有する。 併せて、Ｓ字型液体収容部本体１６を有することによって、手に握って使用する時にも無理な力を加えなくて、柔らかく握って筆記することができる消費者の趣向に合うという長所もある。
【発明を実施するための最良の形態】
【００１３】
前記の目的を達成するために、本発明は、図３及び図４のように、液体が充填されるように後面部に孔が穿孔され、外周面に雌ネジが形成されたＳ字型液体収容部本体１６を備える。前記Ｓ字型液体収容部本体１６の後面部には液体の流出を防ぐために内周面に雌ネジが形成された後方キャップ１が連結される。 前記Ｓ字型液体収容部本体１６の前面部の外周面も雄ネジで形成された。 前記Ｓ字型液体収容部本体１６の内部には液体を振って混合できるように混合用鉄玉３が挿入されている。 前記Ｓ字型液体収容部本体１６から液体が流出するようにする流出キャップ４が前記Ｓ字型液体収容部本体１６の前面部の内部に結合され、また前記流出キャップ４の内部に弾性作用の弾性スプリング６が挿入される。 前記弾性スプリング６の内部にバルブロッド７が挿入され、前記バルブロッド７の前面部には液体の流出を調節するための支持段８が形成される。 前記支持段８の前面には液体が流出するようにする案内流路９が一体形成され、前記案内流路９を通じて流出した液体は案内流路９の外周面に結合されるシリンダキャップ１０を通じてシリンダキャップ１０の前面部に連結される吸収フィルタ１１に集まることになる。 外周面が雄ネジからなるＳ字型液体収容部本体１６の前面部に前方キャップ１２が連結されて結合され、前記吸収フィルタ１１は、前記前方キャップ１２の内部に装着される。 上向き及び下向き張力を加えてＳ字型液体収容部本体１６から液体が流出するようにする固定チップ１３が前記前方キャップ１２の前面部の内部に挿入されて連結され、前記前方キャップ１２の外周面には前面蓋１４が装着される。 
【００１４】
図５は、従来技術に係る黒板用筆記道具と本発明に係るＳ字型液体筆記道具の液体収容部本体１６の内部に液体が充分に充填されて黒板に使われる場合を示している。 図６は、従来技術に係る黒板用筆記道具と本発明に係るＳ字型液体筆記道具の液体収容部本体１６の内部に液体が薬５０％位残った場合にもＳ字型液体収容部本体１６の構造により一層強くなった液体の慣性作用により黒板に使われる場合を示している。 図７は、従来技術に係る黒板用筆記道具と本発明に係るＳ字型液体筆記道具の液体収容部本体１６の内部に液体が約３０％以下に残った場合にもＳ字型液体収容部本体１６構造により一層強くなった液体の慣性作用により黒板に使われる場合を示している。
【００１５】
本発明は、Ｓ字型液体筆記道具に関し、より詳しくは、ペンの内部に充填された液体がペンを使用しない時は外部と密閉されることによって、涙液及び蒸発が抑制され、必要の時にはペンに加えられる所定の圧力と液体の慣性作用によりペンの内部に充填された液体が所定量ずつペンの前面部に流出できるようにしたＳ字型液体筆記道具に関するものであって、当業界で非常に多くの需要が期待される。
【図面の簡単な説明】
【００１６】
【図１】従来技術に係る黒板用筆記道具の分解断面図である。
【図２】従来技術に係る黒板用筆記道具の断面図である。
【図３】本発明に係るＳ字型液体筆記道具の斜視図である。
【図４】本発明に係るＳ字型液体筆記道具の断面図である。
【図５】従来技術に係る黒板用筆記道具と本発明に係るＳ字型液体筆記道具に液体が十分に入った時を液体線１７で比較した断面図である。
【図６】従来技術に係る黒板用筆記道具と本発明に係るＳ字型液体筆記道具において、液体が５０％程度に入っている時を液体線１７で比較した断面図である。
【図７】従来技術に係る黒板用筆記道具と本発明に係るＳ字型液体筆記道具に液体が３０％以下に入っている時を液体線１７で比較した断面図である。
【符号の説明】
【００１７】
１    後方キャップ
２    液体収容部本体
３    混合用鉄玉
４    流出キャップ
５    液体流出口
６    弾性スプリング
７    バルブロッド
８    支持段
９    案内流路
１０    シリンダキャップ
１１    吸収フィルタ
１２    前方キャップ
１３    固定チップ
１４    前面蓋
１５    黒板
１６    Ｓ字型液体収容部本体
１７    液体線
【図１】
2008516791.tif 000003
【図２】
2008516791.tif 000004
【図３】
2008516791.tif 000005
【図４】
2008516791.tif 000006
【図５】
2008516791.tif 000007
【図６】
2008516791.tif 000008
【図７】
2008516791.tif 000009
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
液体収容部本体と、
前記液体収容部本体の後面部に結合された後方キャップと、
前記液体収容部本体の内部に挿入される混合用鉄玉と、
前記液体収容部本体の前面部の内部に挿入されて結合される流出キャップと、
前記流出キャップの内部に挿入されて設置され、前面部に支持段が形成されたバルブロッドと、
前記バルブロッドに挿入されて結合された弾性スプリングと、
前記支持段の前方部に一体形成された案内流路と、
前記案内流路の外周面に装着され、前記流出キャップの内部に引き込まれるシリンダキャップと、
前記シリンダキャップの前面部に位置し、前記液体収容部本体の前面部の外周面に形成された雄ネジ部とねじ結合される前方キャップと、
前記前方キャップの内部に装着される吸収フィルタと、
前記前方キャップの前方に突出して装着される固定チップと、
前記前方キャップの外周面を覆うための前面蓋と、
を含んで構成され、
前記液体収容部本体は、Ｓ字型の曲率構造を有することによって、所定の圧力と慣性が前記液体収容部本体内にある液体に加えられて、前記液体が前記流出キャップ側にやさしく、かつ、安定するように移動できるようにすることを特徴とするＳ字型液体筆記道具。
【国際調査報告】
2008516791.tif 000010
2008516791.tif 000011